(57)【特許請求の範囲】
【請求項１】
計測対象のガスが導入されるガスメータ入口、ガス流量を計測する計測部、及び、計測済ガスが送出されるガスメータ出口を有するガスメータと、
前記ガスメータ入口に接続される入口管部、前記ガスメータ出口に接続される出口管部、及び、該入口管部及び該出口管部を支持して建造物と連結する支持部材を有し、前記ガスメータが着脱可能に装着されるガスメータ取付ユニットと、
を備えるガスメータユニットであって、
前記入口管部に設けられ、ガス流路を開閉するガス栓と、
前記ガス栓の開閉操作が入力されるガス栓操作手段と、
前記ガスメータ入口と前記入口管部との接続箇所に装着され、該ガスメータ入口及び該入口管部とそれぞれ係合するロック手段と、
前記ガス栓操作手段に設けられた、前記ガス栓が閉状態においては前記ロック手段の前記接続箇所への脱着を許容するとともに、前記ガス栓が開状態においては該ロック手段の脱落を防止する脱落防止手段と、
を有することを特徴とするガスメータユニット。
【請求項２】
前記ロック手段は、前記入口管部の径方向にほぼ沿った方向から、前記ガスメータ入口と前記入口管部との接続箇所に挿入されるロックピンを有すること特徴とする請求項１に記載のガスメータユニット。
【請求項３】
前記ガス栓操作手段は、前記入口管部の径方向にほぼ沿った回転軸回りに回転しその角度位置に応じて前記ガス栓を開閉する回転式操作部材を有し、
前記脱落防止手段は、前記回転式操作部材から外径側へ突き出した突部として形成され、前記ガス栓を開く操作と連動して前記ロック手段の脱着経路内へ移動すること
を特徴とする請求項１又は２に記載のガスメータユニット。
【請求項４】
前記入口と前記入口管部との一方に設けられ、外周面に凹部が形成された内筒と、
前記入口と前記入口管部との他方に設けられ前記内筒が挿入されるとともに、前記内筒の前記凹部に対応する箇所に開口が形成された外筒と
を有し、
前記ロック手段は、前記外筒の外径側から前記開口を介して前記内筒の前記凹部内へ挿入される係合部を有すること
を特徴とする請求項１〜３いずれか１項に記載のガスメータユニット。
【請求項５】
前記内筒の前記凹部、及び、前記外筒の前記開口は、各筒の中心軸を挟んだ両側にそれぞれ設けられ、
前記ロック手段は、一対の前記凹部へそれぞれ挿入される一対の前記係合部と、該一対の係合部を連結する連結部とを有し、前記ガス栓の開状態において該連結部が前記脱落防止手段と該ロック手段の着脱方向において対向して配置されること
を特徴とする請求項４に記載のガスメータユニット。
【発明の詳細な説明】
【技術分野】
【０００１】
本発明は、ガスメータを建造物に着脱可能に支持するガスメータ取付ユニットを含むガスメータユニットに関する。特には、ガスメータ取付ユニットにガス栓が設けられたガスメータユニットに関する。
【背景技術】
【０００２】
ガスメータを建物壁などの建造物に取り付けるためのガスメータ取付ユニットが開示されている（特許文献１参照）。同文献のガスメータは超音波式（フルイディック式）であり、従来のものより小型になっている。このガスメータの取付ユニットは、上下方向に延びて平行に配置された入口管部及び出口管部を備えている。入口管部及び出口管部の下端部のメネジには、２本並んで上方に延び出した入側配管及び出側配管が、それぞれ継手を介して接続されるようになっている。そして、入口管部及び出側管部の上端部のユニオンには、下方を向いたガスメータ入口及び出口を有するガスメータが取り付けられるようになっている。
【特許文献１】意匠登録１０６７８６４号
【発明の開示】
【発明が解決しようとする課題】
【０００３】
上述したような着脱式のガスメータは、誤ってガス栓が開いた状態で取り外されることを防止する機能を有することが望ましい。
特に、ガスメータの取付作業を簡素化する目的で、ガスメータ取付ユニットの入出口管部と、ガスメータの入出口とを、差込式の継手によって接続する場合には、ガスメータを引き上げることによって容易に取り外しが可能であることから、開栓時の取り外しを確実に防止できるロック手段を設けることが望ましい。なお、継手が現在主流のユニオンネジ式であれば、もしガス栓を開けたままユニオンネジを緩めても、ガスが漏れ始めるのに気付いてすぐにネジを締めればほとんどガスは漏れない。
本発明は、上記の新規な課題の着想に基づくものであって、ガス栓を開栓したままでガスメータ取付ユニットからガスメータを取り外すことを防止したガスメータユニットを提供することを目的とする。
【課題を解決するための手段】
【０００４】
上記目的を達成するため、本発明のガスメータユニットは、計測対象のガスが導入されるガスメータ入口、ガス流量を計測する計測部、及び、計測済ガスが送出されるガスメータ出口を有するガスメータと、前記ガスメータ入口に接続される入口管部、前記ガスメータ出口に接続される出口管部、及び、該入口管部及び該出口管部を支持して建造物と連結する支持部材を有し、前記ガスメータが着脱可能に装着されるガスメータ取付ユニットと、を備えるガスメータユニットであって、前記入口管部に設けられ、ガス流路を開閉するガス栓と、前記ガス栓の開閉操作が入力されるガス栓操作手段と、前記ガスメータ入口と前記入口管部との接続箇所に装着され、該ガスメータ入口及び該入口管部とそれぞれ係合するロック手段と、前記ガス栓操作手段に設けられた、前記ガス栓が閉状態においては前記ロック手段の前記接続箇所への脱着を許容するとともに、前記ガス栓が開状態においては該ロック手段の脱落を防止する脱落防止手段と、を有することを特徴とする。
【０００５】
本発明によれば、ガス栓を開いた状態では、脱落防止手段がロック手段の脱落を防止して、ガスメータはガスメータ取付ユニットから取り外しができない状態に維持される。これによって、ガス栓を開栓したままでガスメータ取付ユニットからガスメータを取り外すことを防止したガスメータユニットを提供することができる。また、脱落防止手段は、ガス栓操作手段に設けられ、ガス栓の開閉操作に応じてロック手段の脱落を防止するため、構造が簡単である。
この場合において、前記ロック手段は、前記入口管部の径方向にほぼ沿った方向から、前記ガスメータ入口と前記入口管部との接続箇所に挿入されるロックピンを有する構成とすることができる。
【０００６】
本発明において、前記ガス栓操作手段は、前記入口管部の径方向にほぼ沿った回転軸回りに回転しその角度位置に応じて前記ガス栓を開閉する回転式操作部材を有し、前記脱落防止手段は、前記回転式操作部材から外径側へ突き出した突部として形成され、前記ガス栓を開く操作と連動して前記ロック手段の脱着経路内へ移動する構成とすることができる。
回転式操作部材は、典型的には円盤状に形成された本体部を有するダイヤル状のノブである。この場合、脱落防止手段は、ノブの外周面から外径側へタブ状に突き出した構成とすることができる。このような脱落防止手段は、回転式操作部材と一体的に形成してもよく、また、別部材を接合する構成とすることができる。
【０００７】
また、本発明において、前記入口と前記入口管部との一方に設けられ、外周面に凹部が形成された内筒と、前記入口と前記入口管部との他方に設けられ前記内筒が挿入されるとともに、前記内筒の前記凹部に対応する箇所に開口が形成された外筒とを有し、前記ロック手段は、前記外筒の外径側から前記開口を介して前記内筒の前記凹部内へ挿入される係合部を有する構成とすることができる。
これによれば、簡単な構成によってガスメータ入口からの入口管部の抜け止めをすることができる。
【０００８】
この場合において、前記内筒の前記凹部、及び、前記外筒の前記開口は、各筒の中心軸を挟んだ両側にそれぞれ設けられ、前記ロック手段は、一対の前記凹部へそれぞれ挿入される一対の前記係合部と、該一対の係合部を連結する連結部とを有し、前記ガス栓の開状態において該連結部が前記脱落防止手段と該ロック手段の着脱方向において対向して配置される構成とすることができる。
これによれば、連結部が脱落防止手段と対向して配置されていることから、ロック手段の脱落を確実に防止することができる。
【発明の効果】
【０００９】
本発明によれば、ガス栓を開いた際に、ガス栓操作手段に形成された脱落防止手段によって、ガスメータの入口とガスメータ取付ユニットの入口管部とをロックするロック手段の脱落を防止することによって、ガス栓を開栓したままでガスメータ取付ユニットからガスメータを取り外すことを防止したガスメータユニットを提供することができる。
【発明を実施するための最良の形態】
【００１０】
以下、本発明の実施の形態について、図面を参照しながら詳細に説明する。
図１は、本発明の実施の形態に係るガスメータユニットを示す三面図である。図１において、図１（ａ）は、正面図を示し、図１（ｂ）及び図１（ｃ）は、それぞれ正面図に向かって左側、右側から見た側面図である。
図２は、ガスメータユニットの外観斜視図である。
図３は、図１のＡ−Ａ部矢視断面図であって、図３（ｂ）は、図３（ａ）のｂ部拡大図である。
【００１１】
ガスメータユニット１０は、ガスメータ取付ユニット１００及びガスメータ２００を備え、さらに、ガスメータ２００のガスメータ取付ユニット１００からの抜けを防止するロックピン３００を備えている。
ガスメータ取付ユニット１００は、例えば建物の壁部等の建造物に固定され、ガスメータ２００を支持する。ガスメータ取付ユニット１００には、ガスメータ２００が着脱可能に装着される。
ガスメータ取付ユニット１００は、入口管部１１０、出口管部１２０、ガス栓１３０、検圧プラグ１４０、支持プレート１５０等を備えて構成されている。
【００１２】
入口管部１１０及び出口管部１２０は、建造物側に設けられる図示しない入側配管及び出側配管を、ガスメータ２００の後述する入口２２０及び出口２３０に接続する。入側配管及び出側配管は、例えば建造物の壁面等に沿って配置され、そのガスメータユニット１０側の端部は、上方が開口した状態でほぼ鉛直に配置されている。
入口管部１１０及び出口管部１２０は、それぞれほぼ鉛直に配置されたほぼ円筒状の部材である。入口管部１１０及び出口管部１２０の下端部には、入側配管及び出側配管の上端部がそれぞれ接続される継手１１１，１２１がそれぞれ形成されている。
【００１３】
また、入口管部１１０及び出口管部１２０の上端部には、ガスメータ２００の入口２２０及び出口２３０に挿入され、これらと協働して差込式継手を構成する筒状部１１２，１２２が形成されている。筒状部１１２，１２２には、Ｏリング挿入溝１１３，１２３が形成されている。Ｏリング挿入溝１１３，１２３は、筒状部１１２，１２２の周方向に伸びて設けられた矩形断面の溝である。Ｏリング挿入溝１１３，１２３は、筒状部１１２，１２２の中心軸方向に離間して例えば２本が設けられ、それぞれＯリング１１４，１２４が嵌め込まれている。これらのＯリング１１４，１２４は、ガスメータ２００の入口２２０及び出口２３０の内周面と、Ｏリング挿入溝１１３，１２３との間で気密性を確保する。
【００１４】
また、入口管部１１０側の筒状部１１２には、ロックピン挿入溝１１５が形成されている。ロックピン挿入溝１１５は、後述するロックピン３００が挿入される溝であって、上述したＯリング挿入溝１１３の下側（ガスメータ２００から離れた側）に設けられている。ロックピン挿入溝１１５は、筒状部１１２の周方向に伸びて設けられた矩形断面の溝である。
なお、入口管部１１０側の筒状部１１２は、本発明にいう内筒として機能する。
【００１５】
ガス栓１３０は、入口管部１１０の中間部に設けられ、入口管部１１０内部のガス流路を開閉する弁体を備えている。ガス栓１３０は、その開閉操作が入力されるガス栓操作手段であるノブ１３１を備えている。
図４は、ノブ１３１の外観斜視図である。
ノブ１３１は、入口管部１１０の前面側（操作者側）に設けられている。ノブ１３１は、ほぼ円盤状に形成され、回転操作によってガス栓１３０を開閉する。ノブ１３１の回転軸は、入口管部１１０の径方向にほぼ沿って水平に配置されている。また、この回転軸は、ガスメータ取付ユニット１００が取り付けられる壁面の法線方向とほぼ沿って配置されている。
【００１６】
ノブ１３１は、外周縁部から外径側へ突き出して形成されたタブ状の突部である脱落防止タブ１３２を備えている。この脱落防止タブ１３２は、ガス栓１３０が開いている際に、ロックピン３００の着脱経路に入り込むことによって、その脱落を防止する。脱落防止タブ１３２は、ノブ１３１と一体に形成されている。この脱落防止タブ１３２の機能等については、後により詳細に説明する。
また、ノブ１３１は、操作者側の面から突き出して形成され、その直径方向に伸在する突条１３３が形成されている。この突条１３３は、操作者がノブ１３１を回転操作する際に指をかけるつまみとなる。ガス栓１３０は、図１、図２に示すように、突条１３３の長手方向が上下方向となるときに開かれるとともに、突条１３３の長手方向が水平方向（左右方向）となるときに閉じられる。
そして、脱落防止タブ１３２は、突条１３３の一方の端部に隣接して設けられ、ガス栓１３０を開いた状態では、ノブ１３１の回転軸に対して上方に位置し、閉じた状態では、回転軸に対して側方に位置するようになっている。
なお、この脱落防止タブ１３２は、本発明にいう脱落防止手段である。
【００１７】
検圧プラグ１４０は、出口管部１２０の中間部に設けられ、ガス圧を検出する検出装置が接続される部分である。
支持プレート１５０は、入口管部１１０及び出口管部１２０を建造物の壁面等に固定し支持するブラケットである。
【００１８】
ガスメータ２００は、本体部２１０、入口２２０、出口２３０等を備えて構成されている。
本体部２１０は、入口２２０側から出口２３０側へ通流されるガスの流量を計測する超音波流量計を備えている。本体部２１０は、その筐体外形がほぼ矩形のボックス状に形成されている。
また、本体部２１０は、その前面部に、超音波流量計の出力値等を表示する表示部２１１を備えている。
【００１９】
入口２２０及び出口２３０は、ガスメータ取付ユニット１００の入口管部１１０及び出口管部１２０がそれぞれ接続される部分である。
入口２２０及び出口２３０は、本体部２１０の下面部から下方へ突き出した円筒状に形成され、その中心軸方向はほぼ鉛直に配置されている。これらの入口２２０及び出口２３０は、ガスメータ２００をガスメータ取付ユニット１００に取り付けた状態においては、その内径側へ入口管部１１０及び出口管部１２０の筒状部１１２，１２２がそれぞれ挿入される。
【００２０】
また、入口２２０には、開口２２１が形成されている。この開口２２１は、ロックピン３００の後述する係合面３１０が挿入されるものである。開口２２１は、入口２２０の周方向に長い楕円又は長円状の長穴として形成され、入口２２０の左右両側面に形成されている。
なお、入口２２０は、本発明にいう外筒として機能する。
【００２１】
図５は、ロックピン３００の外観斜視図である。
ロックピン３００は、係合面３１０及び連結部３２０を、例えば樹脂系材料のインジェクション成型によって一体に形成したものである。
係合面３１０は、ガスメータ取付ユニット１００のロックピン挿入溝１１５、及び、ガスメータ２００の入口２２０の開口２２１とそれぞれ係合することによって、ガスメータ２００をガスメータ取付ユニット１００にロック（抜け止め）する部分である。係合面３１０は、水平に配置されかつガス栓１３０のノブ１３１の回転軸とほぼ平行に伸びた帯板状に形成されている。係合面３１０は、ガスメータ取付ユニット１００の入口管部１１０、及び、ガスメータ２００の入口２２０を左右方向に挟んだ両側に配置されている。
【００２２】
これら一対の係合面３１０は、その対向する縁部が開口２２１を介して入口２２０の内径側へ挿入され、さらにロックピン挿入溝１１５内に挿入されることによって、開口２２１及びロックピン挿入溝１１５とそれぞれ係合し、ガスメータ２００の入口２２０の入口管部１１０からの抜けを防止する。
また、この係合面３１０の先端部（壁面側の端部）には、内側へ突き出して形成された突起３１１が形成されている。
連結部３２０は、一対の係合面３１０の間にわたして設けられ、これらを連結する部分である。連結部３２０は、操作者側へ面しかつ左右方向に伸びた帯板状に形成されている。
係合面３１０は、連結部３２０の左右両端部からそれぞれ壁面側へ突き出して形成されている。これによって、ロックピン３００は、上方から見た平面形がほぼコの字状に形成されている。
【００２３】
次に、上述したガスメータユニット１０において、ガスメータ２００をガスメータ取付ユニット１００に装着する際の動作について説明する。
図６は、ガスメータ２００をガスメータ取付ユニット１００から取り外した状態における断面図である。
図７は、図６のVII部拡大図である。
図８は、ガスメータ２００をガスメータ取付ユニット１００から取り外した状態における外観斜視図であって、斜め下側から見た図である。
【００２４】
図６〜８に示すように、ガスメータユニット１０において、ガスメータ２００がガスメータ取付ユニット１００から取り外された際は、ガス栓１３０は閉じられている。ガス栓１３０を閉じることによって、ノブ１３１の脱落防止タブ１３２は、ノブ１３１の回転軸に対して側方に配置される。
そして、ガスメータ取付ユニット１００の入口管部１１０の筒状部１１２、及び、出口管部１２０の筒状部１２２を、ガスメータ２００の入口２２０及び出口２３０にそれぞれ所定の深さまで挿入することによって、ガスメータ２００のガスメータ取付ユニット１００への装着がなされる。
【００２５】
その後、ロックピン３００を、ガスメータユニット１０の前面側（操作者側）から押し込んで装着し、係合面３１０が開口２２１を介してロックピン挿入溝１１５に挿入された状態として、ガスメータ取付ユニット１００とガスメータ２００とのロックを行う。このとき、脱落防止タブ１３２は、ノブ１３１の側方にあり、ロックピン３００の脱着経路上から退避しているため、ロックピン３００の挿入を妨げることがない。
そして、ガスメータユニット１０の使用時に、ノブ１３１を回してガス栓１３０を開くと、脱落防止タブ１３２は、ノブ１３１の回転と連動して、ノブ１３１の上方へ移動し、ロックピン３００の脱着経路上に進入する。
図９は、ロックピン３００を挿入しガス栓１３０を開いた後におけるガスメータ２００の入口２２０とガスメータ取付ユニット１００の入口管部１１０との接続部を断面図である。
図９に示すように、脱落防止タブ１３２は、ロックピン３００の連結部３２０とガスメータユニット１０の奥行き方向（壁面の法線方向）に、微少な間隔を隔てて対向して配置される。ロックピン３００は、その脱着経路上に脱落防止タブ１３２が配置されることによって、その取り外しができない状態となっている。
【００２６】
以上説明した本実施の形態によれば、ガス栓１３０の開状態においては、ノブ１３１に設けられた脱落防止タブ１３２がロックピン３００の脱着経路に進入し、ロックピン３００が脱落したり、または誤って取り外されることを防止することから、ガスメータ２００のガスメータ取付ユニット１００からの取り外しができなくなる。これによって、ガス栓１３０の開栓時におけるガスメータ２００のガスメータ取付ユニット１００からの取り外しを防止したガスメータユニット１０を提供することができる。
【００２７】
（他の実施の形態）
なお、ガスメータユニットの構成は、上述した実施の形態に限定されず適宜変更することができ、これらも本発明の技術的範囲内である。
例えば、実施の形態では、ガスメータの下側に入口及び出口が設けられているが、これに限らず、ガスメータの側面、上面、背面等に入口及び出口が設けられる構成としてもよい。
また、ロック手段の構成も実施形態のものに限らず、適宜変更することができる。
【図面の簡単な説明】
【００２８】
【図１】本発明の実施の形態に係るガスメータユニットを示す三面図である。
【図２】図１のガスメータユニットの外観斜視図である。
【図３】図１のＡ−Ａ部矢視断面図である。
【図４】図１のガスメータユニットのガス栓に設けられるノブの外観斜視図である。
【図５】図１のガスメータユニットのロックピンの外観斜視図である。
【図６】図１のガスメータをガスメータ取付ユニットから取り外した状態における断面図である。
【図７】図６のVII部拡大図である。
【図８】図１のガスメータをガスメータ取付ユニットから取り外した状態における外観斜視図である。
【図９】図１のガスメータユニットにおいて、ロックピンを挿入しガス栓を開いた後のガスメータの入口とガスメータ取付ユニットの入口管部との接続部の断面図である。
【符号の説明】
【００２９】
１０    ガスメータユニット          １００    ガスメータ取付ユニット
１１０    入口管部                    １１１    継手
１１２    筒状部                      １１３    Ｏリング挿入溝
１１４    Ｏリング                    １１５    ロックピン挿入
１２０    出口管部                    １２１    継手
１２２    筒状部                      １２３    Ｏリング挿入溝
１２４    Ｏリング                    １３０    ガス栓
１３１    ノブ                        １３２    脱落防止タブ
１４０    検圧プラグ                  ２００    ガスメータ
２１０    本体部                      ２２０    入口
２２１    開口                        ２３０    出口
３００    ロックピン                  ３１０    係合面
３１１    突起                        ３２０    連結部
【図１】
0004991460.tif 000002
【図２】
0004991460.tif 000003
【図３】
0004991460.tif 000004
【図４】
0004991460.tif 000005
【図５】
0004991460.tif 000006
【図６】
0004991460.tif 000007
【図７】
0004991460.tif 000008
【図８】
0004991460.tif 000009
【図９】
0004991460.tif 000010